(57)【特許請求の範囲】
【請求項１】
複素シヌソイドに従って搬送波に関連したデジタル信号を回転し、回転されたデジタル信号を形成することと、
前記複素シヌソイドの負の表現に従って異種の搬送波に関連した異種のデジタル信号を回転し、異種の回転されたデジタル信号を形成することと、ここにおいて、前記デジタル信号および前記異種のデジタル信号は、合同で符号化されたエンハンスド専用物理制御チャネルデータ（enhanced dedicated physical control channel data）に関連し、
前記回転されたデジタル信号および前記異種の回転されたデジタル信号を結合して単一のベースバンド波形を生成することと、
前記単一ベースバンド波形を、無線ネットワーク内のデータを送信するために割り当てられた複数の隣接搬送波周波数の平均周波数に中心を有するアナログ信号に変換することと、
エンハンスド専用チャネル（enhanced dedicated channel (Ｅ−ＤＣＨ)）トランスポートフォーマット結合インディケータ(transport format combination indicator (Ｅ−ＴＦＣＩ)）の一部分で前記デジタル信号のトランスポート・ブロック・サイズ（transport block size（ＴＢＳ））の相対的差異を表示することと、
を備える方法。
【請求項２】
前記複素シヌソイドは、前記デジタル信号および前記異種のデジタル信号を回転する回転周波数に関連する、請求項１に記載の方法。
【請求項３】
前記無線ネットワークでデータを送信するために割り当てられた複数の隣接搬送波内の周波数へ前記アナログ信号をアップコンバートすることをさらに備える、請求項１に記載の方法。
【請求項４】
前記平均周波数の周りで前記アナログ信号を発振することをさらに備える、請求項３に記載の方法。
【請求項５】
前記複数の隣接搬送波上で前記アナログ信号を送信することをさらに備える、請求項４に記載の方法。
【請求項６】
少なくとも部分的に前記搬送波を利用する通信チャネルに関連した複数のトランスポートブロックへ１つまたは複数の拡散符号を適用することによって、前記デジタル信号を生成することをさらに備える、請求項１に記載の方法。
【請求項７】
前記搬送波を利用する前記通信チャネルで送信するために前記デジタル信号をパルス整形することをさらに備える、請求項６に記載の方法。
【請求項８】
前記デジタル信号は、他の搬送波に関連した複数の他のデジタル信号の組み合わせである、請求項１に記載の方法。
【請求項９】
デジタル信号へ複素シヌソイドを適用して前記デジタル信号を回転し、
異種のデジタル信号へ前記複素シヌソイドの負の表現を適用して、前記デジタル信号とは反対方向に前記異種のデジタル信号を回転し、ここにおいて、前記デジタル信号および前記異種のデジタル信号は、合同で符号化されたエンハンスド専用物理制御チャネルデータに関連し、
前記デジタル信号および前記異種のデジタル信号を加算して単一のベースバンド波形を合成し、
前記単一ベースバンド波形を、無線ネットワーク内のデータを送信するために割り当てられた複数の隣接搬送波周波数の平均周波数に中心を有するアナログ信号に変換し、
エンハンスド専用チャネル (Ｅ−ＤＣＨ)トランスポートフォーマット結合インディケータ (Ｅ−ＴＦＣＩ)の一部分で前記デジタル信号のトランスポート・ブロック・サイズ（ＴＢＳ）の相対的差異を表示する
ように構成された少なくとも１つのプロセッサと、
該少なくとも１つのプロセッサへ結合されたメモリと、
を備える無線通信装置。
【請求項１０】
前記少なくとも１つのプロセッサは、回転周波数に少なくとも部分的に基づき前記複素シヌソイドを計算するようにさらに構成された、請求項９に記載の無線通信装置。
【請求項１１】
前記少なくとも１つのプロセッサは、信号を送信するため前記無線通信装置に割り当てられた複数の隣接搬送波周波数内で送信するため前記アナログ信号をアップコンバートするようにさらに構成された、請求項９に記載の無線通信装置。
【請求項１２】
前記少なくとも１つのプロセッサは、前記平均周波数付近で前記アナログ信号を発振するようにさらに構成された、請求項１１に記載の無線通信装置。
【請求項１３】
前記少なくとも１つのプロセッサは、前記複数の隣接搬送波周波数上で前記アナログ信号を送信するようにさらに構成された、請求項１２に記載の無線通信装置。
【請求項１４】
少なくとも部分的に前記少なくとも１つのプロセッサは、１つまたは複数の拡散符号に従い１つまたは複数の通信チャネルに関連した複数の受信データ記号を拡散することによって、前記デジタル信号および前記異種のデジタル信号を生成するようにさらに構成された、請求項９に記載の無線通信装置。
【請求項１５】
前記少なくとも１つのプロセッサは、前記デジタル信号および前記異種のデジタル信号へパルス整形を適用するようにさらに構成された、請求項１４に記載の無線通信装置。
【請求項１６】
搬送波に関連したデジタル信号を正方向に回転周波数だけ回転し、異種の搬送波に関連した異種のデジタル信号を負方向に前記回転周波数だけ回転する手段と、ここにおいて、前記デジタル信号および前記異種のデジタル信号は、合同で符号化されたエンハンスド専用物理制御チャネルデータに関連し、
前記デジタル信号および前記異種のデジタル信号を加算して単一のベースバンド波形を生成する手段と、
前記単一ベースバンド波形を、無線ネットワーク内のデータを送信するために割り当てられた複数の隣接搬送波周波数の平均周波数に中心を有するアナログ信号に変換する手段と、
エンハンスド専用チャネル (Ｅ−ＤＣＨ)トランスポートフォーマット結合インディケータ (Ｅ−ＴＦＣＩ)の一部分で前記デジタル信号のトランスポート・ブロック・サイズ（ＴＢＳ）を表示し、前記Ｅ−ＴＦＣＩの残りの部分で前記異種のデジタル信号のＴＢＳの差異を表示する手段と、
を備える装置。
【請求項１７】
前記デジタル信号を回転する前記手段は、前記回転周波数に対応する複素シヌソイドを前記デジタル信号へ適用し、前記回転周波数に対応する前記複素シヌソイドの負の表現を前記異種のデジタル信号へ適用する、請求項１６に記載の装置。
【請求項１８】
前記無線ネットワークで信号を送信するため前記装置へ割り振られた複数の隣接搬送波内の周波数へ前記アナログ信号をアップコンバートする手段をさらに備える、請求項１７に記載の装置。
【請求項１９】
前記アナログ信号をアップコンバートする前記手段は、前記平均周波数の周りで前記アナログ信号を発振する、請求項１８に記載の装置。
【請求項２０】
前記複数の隣接搬送波上で前記アナログ信号を送信する手段をさらに備える、請求項１９に記載の装置。
【請求項２１】
少なくとも部分的に前記搬送波に対応する通信チャネルに関連した複数の受信データ記号へ１つまたは複数の拡散記号を適用することによって、前記デジタル信号を生成する手段をさらに備える、請求項１６に記載の装置。
【請求項２２】
前記搬送波に対応する前記通信チャネルで送信するために前記デジタル信号をパルス整形する手段をさらに備える、請求項２１に記載の装置。
【請求項２３】
前記デジタル信号は、他の搬送波に関連した複数の他のデジタル信号の組み合わせである、請求項１６に記載の装置。
【請求項２４】
少なくとも１つのコンピュータに、
搬送波に関連したデジタル信号を複素シヌソイドに従って回転させ、回転されたデジタル信号を形成させ、
異種の搬送波に関連した異種のデジタル信号を前記複素シヌソイドの負の表現に従って回転させ、異種の回転されたデジタル信号を形成させ、ここにおいて、前記デジタル信号および前記異種のデジタル信号は、合同で符号化されたエンハンスド専用物理制御チャネルデータに関連し、
前記回転されたデジタル信号および前記異種の回転されたデジタル信号を結合させて単一のベースバンド波形を生成させ、
前記単一ベースバンド波形を、無線ネットワーク内のデータを送信するために割り当てられた複数の隣接搬送波周波数の平均周波数に中心を有するアナログ信号に変換させ、
エンハンスド専用チャネル (Ｅ−ＤＣＨ)トランスポートフォーマット結合インディケータ (Ｅ−ＴＦＣＩ)の一部分で前記デジタル信号のトランスポート・ブロック・サイズ（ＴＢＳ）の相対的差異を表示させる
コードを備えるコンピュータ読取可能媒体。
【請求項２５】
前記複素シヌソイドは回転周波数に関連しており、前記少なくとも１つのコンピュータに前記デジタル信号を回転させる前記コードは、前記回転周波数だけ前記デジタル信号を回転する、請求項２４に記載のコンピュータ読取可能媒体。
【請求項２６】
前記少なくとも１つのコンピュータに、前記無線ネットワークでデータを送信するために割り当てられた前記複数の隣接搬送波内で前記アナログ信号を周波数へアップコンバートさせるコードをさらに備える、請求項２５に記載のコンピュータ読取可能媒体。
【請求項２７】
前記少なくとも１つのコンピュータに、前記平均周波数の周りで前記アナログ信号を発振させるコードをさらに備える、請求項２６に記載のコンピュータ読取可能媒体。
【請求項２８】
前記少なくとも１つのコンピュータに、前記複数の隣接搬送波上で前記アナログ信号を送信させるコードをさらに備える、請求項２７に記載のコンピュータ読取可能媒体。
【請求項２９】
前記少なくとも１つのコンピュータに、少なくとも部分的に前記搬送波を利用する通信チャネルに関連した複数のトランスポートブロックへ１つまたは複数の拡散符号を適用することによって前記デジタル信号を生成させるコードをさらに備える、請求項２４に記載のコンピュータ読取可能媒体。
【請求項３０】
前記少なくとも１つのコンピュータに、前記搬送波を利用する前記通信チャネルで送信するために前記デジタル信号をパルス整形させるコードをさらに備える、請求項２９に記載のコンピュータ読取可能媒体。
【請求項３１】
搬送波に関連したデジタル信号を正方向に回転周波数だけ回転し、異種の搬送波に関連した異種のデジタル信号を負方向に前記回転周波数だけ回転する信号回転コンポーネントと、ここにおいて、前記デジタル信号および前記異種のデジタル信号は、合同で符号化されたエンハンスド専用物理制御チャネルデータに関連し、
前記デジタル信号および前記異種のデジタル信号を加算して単一のベースバンド波形を生成する信号結合コンポーネントと、
前記単一ベースバンド波形を、無線ネットワーク内のデータを送信するために割り当てられた複数の隣接搬送波周波数の平均周波数に中心を有するアナログ信号に変換するデジタルアナログ変換コンポーネントと、
エンハンスド専用チャネル (Ｅ−ＤＣＨ)トランスポートフォーマット結合インディケータ (Ｅ−ＴＦＣＩ)の一部分で前記デジタル信号のトランスポート・ブロック・サイズ（ＴＢＳ）の相対的差異を表示するコンポーネントと、
を備える装置。
【請求項３２】
前記信号回転コンポーネントは、前記回転周波数に対応する複素シヌソイドを前記デジタル信号へ適用し、前記回転周波数に対応する前記複素シヌソイドの負の表現を前記異種のデジタル信号へ適用する、請求項３１に記載の装置。
【請求項３３】
前記無線ネットワークで信号を送信するため前記装置へ割り振られた前記複数の隣接搬送波内で前記アナログ信号を周波数へ変換する信号アップコンバートコンポーネントをさらに備える、請求項３２に記載の装置。
【請求項３４】
前記信号アップコンバートコンポーネントは、前記平均周波数の周りで前記アナログ信号を発振する、請求項３３に記載の装置。
【請求項３５】
前記複数の隣接搬送波上で前記アナログ信号を通信する送信コンポーネントをさらに備える、請求項３４に記載の装置。
【請求項３６】
少なくとも部分的に前記搬送波に対応する通信チャネルに関連した複数の受信データ記号へ１つまたは複数の拡散符号を適用することによって、前記デジタル信号を生成する拡散コンポーネントをさらに備える、請求項３１に記載の装置。
【請求項３７】
前記搬送波に対応する前記通信チャネルで送信するために前記デジタル信号を修正するパルス整形コンポーネントをさらに備える、請求項３６に記載の装置。
【発明の詳細な説明】
【技術分野】
【０００１】
相互参照
本願は、２００９年１月６日に出願された「Ｗ−ＣＤＭＡ／ＨＳＰＡアップリンクにおける単一周波数帯域内隣接搬送波での複数搬送波送信機の設計」（ＭＵＬＴＩ−ＣＡＲＲＩＥＲ  ＴＲＡＮＳＭＩＴＴＥＲ  ＤＥＳＩＧＮ  ＯＮ  ＡＤＪＡＣＥＮＴ  ＣＡＲＲＩＥＲＳ  ＩＮ  Ａ  ＳＩＮＧＬＥ  ＦＲＥＱＵＥＮＣＹ  ＢＡＮＤ  ＯＮ  ＴＨＥ  ＵＰＬＩＮＫ  ＩＮ  Ｗ−ＣＤＭＡ／ＨＳＰＡ）と題する米国仮特許出願第６１／１４２，８３５号、２００９年１月１３日に出願された「Ｗ−ＣＤＭＡ／ＨＳＰＡアップリンクにおける単一周波数帯域内隣接搬送波での複数搬送波送信機の設計」（ＭＵＬＴＩ−ＣＡＲＲＩＥＲ  ＴＲＡＮＳＭＩＴＴＥＲ  ＤＥＳＩＧＮ  ＯＮ  ＡＤＪＡＣＥＮＴ  ＣＡＲＲＩＥＲＳ  ＩＮ  Ａ  ＳＩＮＧＬＥ  ＦＲＥＱＵＥＮＣＹ  ＢＡＮＤ  ＯＮ  ＴＨＥ  ＵＰＬＩＮＫ  ＩＮ  Ｗ−ＣＤＭＡ／ＨＳＰＡ）と題する米国仮特許出願第６１／１４４，３３０号、および２００９年４月２９日に出願された「Ｗ−ＣＤＭＡ／ＨＳＰＡアップリンクにおける単一周波数帯域内隣接搬送波での複数搬送波送信機の設計」（ＭＵＬＴＩ−ＣＡＲＲＩＥＲ  ＴＲＡＮＳＭＩＴＴＥＲ  ＤＥＳＩＧＮ  ＯＮ  ＡＤＪＡＣＥＮＴ  ＣＡＲＲＩＥＲＳ  ＩＮ  Ａ  ＳＩＮＧＬＥ  ＦＲＥＱＵＥＮＣＹ  ＢＡＮＤ  ＯＮ  ＴＨＥ  ＵＰＬＩＮＫ  ＩＮ  Ｗ−ＣＤＭＡ／ＨＳＰＡ）と題する米国仮特許出願第６１／１７３，６９９号の利益を主張する。これら仮特許出願の全体は引用によって本明細書に組み込まれる。
【０００２】
本開示は、一般的に無線通信に関し、さらに具体的には、単一周波数帯域における複数搬送波送信に関する。
【背景技術】
【０００３】
無線通信システムが例えば音声、データ等の様々なタイプの通信内容を提供するために広く配備されている。典型的な無線通信システムは、利用可能なシステムリソース（例えば、帯域幅、送信電力、．．．）を共有することによって複数のユーザとの通信をサポートし得る多元接続システムである。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含むことができる。加えて、これらシステムは、第３世代パートナーシッププロジェクト（３ＧＰＰ）、３ＧＰＰロング・ターム・エボリューション(long term evolution:  ＬＴＥ）、ウルトラ・モバイル・ブロードバンド（ultra mobile broadband:  ＵＭＢ）などのような仕様に適合可能であり、高速アップリンク・パケット・アクセス（high-speed uplink packet access）（ＨＳＵＰＡ）、単一搬送波ＨＳＵＰＡ（ＳＣ−ＨＳＵＰＡ）、デュアル搬送波ＨＳＵＰＡ（ＤＣ−ＨＳＵＰＡ）等の１つまたは複数のプロトコルを使用できる。
【０００４】
一般に、無線多元接続通信システムは複数の移動デバイスの通信を同時にサポートできる。各移動デバイスは、順方向および逆方向リンク上の送信を介し、１つまたは複数のアクセスポイント（例えば、基地局、フェムトセル、ピコセル、中継ノード、および／または同等なもの）と通信する。順方向リンク（またはダウンリンク）はアクセスポイントから移動デバイスへの通信リンクを指し、逆方向リンク（またはアップリンク）は移動デバイスからアクセスポイントへの通信リンクを指す。さらに、移動デバイスおよびアクセスポイント間の通信は１入力１出力（ＳＩＳＯ）システム、多入力１出力（ＭＩＳＯ）システム、多入力多出力（ＭＩＭＯ）システム等を介して確立できる。加えて、移動デバイスはピアツーピア無線ネットワーク（peer-to-peer wireless network）構成で他の移動デバイスと（および／またはアクセスポイントは他のアクセスポイントと）通信できる。
【０００５】
ＳＣ−ＨＳＵＰＡを用いて動作する移動デバイスは所与の期間中に単一搬送波で送信できる。例えば、移動デバイスは、通信路符号化(channel coding)および多重化、拡散、パルス整形無線リソース制御フィルタ、および／または同等なものを、メディアアクセス制御（media access control）（ＭＡＣ）や類似の層通信に適用できる。拡散がチャネル化（例えば、データ記号を多数のチップへ変換して、信号の帯域幅を増加すること）およびスクランブリング（例えば、スクランブリング符号を拡散信号へ適用すること）を含み得ることはわかるはずである。従って、ＩおよびＱ分岐上のデータ記号(data symbols)はチャネル化(channelization)中に直交可変拡散機能符号と独立的に乗じられることができ、ＩおよびＱ分岐上の結果の信号は複素値スクランブリング符号によってさらに乗じられることができる。ここでＩおよびＱは、例えば、それぞれ実部分および虚部分である。移動デバイスはデジタルアナログ変換器および／または低域フィルタを介してＩおよびＱ分岐をアナログ信号へ変換できる。続いて、移動デバイスはアナログ信号を無線周波数へアップコンバートし、この信号を１つまたは複数のデバイスやアクセスポイントへ送信できる。移動デバイスは送信に利用される電力を増加するために電力増幅器を付加的に利用できる。
【発明の概要】
【０００６】
以下は、権利要求される主題の様々な態様の簡単な概要を提示してこれら態様の基本的理解を提供するものである。この概要は全ての想定される態様を広範囲に概観するものではなく、主要あるいは重要な要素を見分けたり、このような態様の範囲を線引きしたりすることを意図されるものでもない。その唯一の目的は、後で提示されるより詳細な記述のプレリュード(prelude)として開示態様の幾つかのコンセプトを簡単な形態で提示することである。
【０００７】
１つまたは複数の実施形態および対応する開示によれば、様々な態様が無線通信において単一送信機でのアップリンク送信のための複数搬送波波形の合成を容易にすることに関連して記述される。１つの例では、複数のデジタル信号が複数のデータソースのために生成され、これらデータ信号が結果の波形を生成するために正または負の周波数に従って回転され合計されることができる。結果の波形は変調され、１つの周波数帯域内の複数の隣接搬送波で１つまたは複数のデバイスやアクセスポイントへ送信されることができる。例えば、デュアル搬送波送信では、２つのソースの１つからのデジタル信号が或る周波数だけ１つの方向へ回転される一方で、他の信号が同一または類似の周波数だけ反対方向へ回転されることができる。これら回転された信号は前記波形を生成するために合わされることができる。他の例では、複数の波形が別々の送信機で送信されることができる。
【０００８】
一態様によれば、複素シヌソイド(complex sinusoid)に従って搬送波に関連したデジタル信号を回転して回転されたデジタル信号を形成すること、および複素シヌソイドの負の表現に従って異種の搬送波(disparate carrier)に関連した異種のデジタル信号(disparate digital signal)を回転して異種の回転されたデジタル信号を形成することを含む方法が提供される。この方法は、回転されたデジタル信号および異種の回転されたデジタル信号を結合して単一のベースバンド波形を生成することをさらに含む。
【０００９】
他の態様は無線通信装置に関する。この無線通信装置は複素シヌソイドをデジタル信号へ適用してこのデジタル信号を回転させ、複素シヌソイドの負の表現を異種のデジタル信号へ適用してこのデジタル信号とは反対の方向へ異種のデジタル信号を回転させるように構成される少なくとも１つのプロセッサを含むことができる。この少なくとも１つのプロセッサはデジタル信号および異種のデジタル信号を加算して単一のベースバンド波形を合成するようにさらに構成される。この無線通信装置は少なくとも１つのプロセッサへ結合されたメモリをさらに備える。
【００１０】
さらに他の態様は装置に関する。この装置は、搬送波に関連したデジタル信号を回転周波数だけ正方向に回転し、異種の搬送波に関連した異種のデジタル信号を回転周波数だけ負方向に回転する手段を含む。装置は、デジタル信号および異種のデジタル信号を加算して単一のベースバンド波形を生成する手段をさらに含む。
【００１１】
さらに他の態様は、コンピュータ・プログラム・プロダクトに関するもので、搬送波に関連するデジタル信号を複素シヌソイドに従って回転して回転されたデジタル信号を形成することを少なくとも１つのコンピュータに行わせるコード、および異種の搬送波に関連した異種のデジタル信号を複素シヌソイドの負の表現に従って回転して異種の回転されたデジタル信号を形成することを少なくとも１つのコンピュータに行わせるコードを含むコンピュータ可読メディアを有することができる。このコンピュータ可読メディアは、回転されたデジタル信号および異種の回転されたデジタル信号を結合して単一のベースバンド波形を生成することを少なくとも１つのコンピュータに行わせるコードをさらに備え得る。
【００１２】
さらに、追加の態様は装置に関するもので、搬送波に関連したデジタル信号を回転周波数だけ正方向に回転し、異種の搬送波に関連した異種のデジタル信号を回転周波数だけ負方向に回転する信号回転コンポーネントを含む。この装置はデジタル信号および異種のデジタル信号を加算して単一のベースバンド波形を生成する信号結合コンポーネントをさらに含むことができる。
【００１３】
前述のおよび関連の目的を達成するため、１つまたは複数の実施形態はこの後において十分に記述され特許請求の範囲において特に指摘される特徴を備える。以下の記述および添付図面は、１つまたは複数の実施形態の或る例示的態様を詳細に記載している。しかしながら、これら態様は、様々な実施形態の原理が採用される様々なやり方のうちのわずかなものを示すにすぎず、記述の実施形態はこのような態様およびこれらの同等物の全てを含むことを意図されている。
【図面の簡単な説明】
【００１４】
【図１】複数の搬送波に関連したデジタル信号を回転および結合して単一のベースバンド波形を生成するシステムのブロック図である。
【図２】無線通信環境で採用される例示的通信装置を示す。
【図３】２つのデジタル信号を回転および結合して単一の送信機で送信する例示的無線通信システムを示す。
【図４】４つのデジタル信号を回転および結合して単一の送信機で送信する例示的無線通信システムを示す。
【図５】複数の搬送波に関連した信号を生成、回転、および結合して単一の送信機で送信する例示的無線通信システムを示す。
【図６】異種の搬送波から信号を生成して異種の送信機で送信する例示的無線通信システムを示す。
【図７】デジタル信号を回転および結合して単一のベースバンド波形を生成する例示的方法の流れ図である。
【図８】回転周波数だけ信号を回転し、続いて結合して、単一のベースバンド波形を生成する例示的方法の流れ図である。
【図９】信号を回転および結合して単一のベースバンド波形として送信する例示的装置のブロック図である。
【図１０】回転および結合されて代表的な単一のベースバンド波形を生成するための信号を生成する例示的装置のブロック図である。
【図１１】本明細書に記述される機能の様々な態様を実施するために利用され得る例示的無線通信デバイスのブロック図である。
【図１２】本明細書に記述される機能の様々な態様を実施するために利用され得る例示的無線通信デバイスのブロック図である。
【図１３】本明細書に記述される様々な態様に従った例示的無線多元接続通信システムを示す。
【図１４】本明細書に記述される様々な態様が機能し得る例示的無線通信システムを示すブロック図である。
【発明を実施するための形態】
【００１５】
要求主題の様々な態様が今から図面を参照して記述される。ここでは、同様の参照番号が全体を通して同様な要素を指すために使用される。以下の記述では、説明目的で、多数の具体的詳細が１つまたは複数の態様の完全な理解を提供するために記載される。しかしながら、このような態様は、これらの具体的詳細なしに実施されてもよいことが明らかであろう。他の場合には、１つまたは複数の態様の記述を容易にするため、周知の構造およびデバイスはブロック図として示される。
【００１６】
本願で使用されるように、「コンポーネント」、「モジュール」、「システム」等の用語は、ハードウェア、ファームウェア、ハードウェアとソフトウェアの組み合わせ、ソフトウェア、または実行中のソフトウェアのいずれかであるコンピュータ関連エンティティを指すことを意図される。例えば、コンポーネントは、限定するものではないが、プロセッサ上で走るプロセス、集積回路、オブジェクト、実行可能ファイル、実行スレッド、プログラム、および／またはコンピュータであることができる。例として、コンピューティングデバイス上で走るアプリケーションおよびコンピューティングデバイスの両方は１つのコンポーネントであり得る。１つまたは複数のコンポーネントがプロセスおよび／または実行スレッドの内部に存在可能であって、１つのコンポーネントが１つのコンピュータにおいて局部化され、かつ／もしくは２つ以上のコンピュータに分散されることができる。加えて、これらコンポーネントは記憶された様々なデータ構造を有する様々なコンピュータ可読メディアから実行できる。これらコンポーネントは、１つまたは複数のデータパケット（例えば、ローカルシステム、分散システム内で、および／またはインターネットのようなネットワークを横切って、他のコンポーネントと対話する１つのコンポーネントからのデータ）を有する信号に従うローカルおよび／またはリモートプロセスによって通信できる。
【００１７】
さらに、様々な態様が無線端末および／または基地局と関連して本明細書に記述される。無線端末は音声および／またはデータ接続をユーザへ提供するデバイスを指すことができる。無線端末はラップトップコンピュータやデスクトップコンピュータのようなコンピューティングデバイスへ接続可能であったり、パーソナル・デジタル・アシスタント（personal digital assistant）（ＰＤＡ）のような自己完結型デバイスであったりできる。また、無線端末は、システム、加入者ユニット、加入者局、移動局、モバイル、遠隔局、アクセスポイント、遠隔端末、アクセス端末、ユーザ端末、ユーザエージェント、ユーザデバイス、またはユーザ機器（user equipment）（ＵＥ）と呼ばれることもある。無線端末は、加入者局、無線デバイス、携帯電話、ＰＣＳ電話、コードレス電話、セッション開始プロトコル（Session Initiation Protocol）（ＳＩＰ）電話、無線ローカルループ（wireless local loop）（ＷＬＬ）局、パーソナル・デジタル・アシスタント（ＰＤＡ）、無線接続能力を有するハンドヘルドデバイス、または無線モデムへ接続された他の処理デバイスであることができる。基地局（例えば、アクセスポイントまたはエボリューションノードＢ（Evolved Node B）（ｅＮＢ）または他のノードＢ）は、エアインタフェースで１つまたは複数のセクタを経由して複数の無線端末と通信するアクセスネットワーク内のデバイスを指すことができる。基地局は、受け取られたエアインタフェースフレームをＩＰパケットへ変換することによって、無線端末と、インターネットプロトコル（ＩＰ）ネットワークを含み得るアクセスネットワークの残りとの間でルータとして働くことができる。また、この基地局はエアインタフェースのために属性の管理を整合させる。
【００１８】
さらに、本明細書に記述される様々な機能はハードウェア、ソフトウェア、ファームウェア、またはこれらの組み合わせとして実施されることができる。もしソフトウェアとして実施されるならば、これら機能はコンピュータ可読メディア上の１つまたは複数の命令またはコードとして記憶されるか送信されることができる。コンピュータ可読メディアは、コンピュータ記憶メディアと、１つの場所から他の場所へコンピュータ・プログラムの転送を容易にする任意のメディアを含む通信メディアとの両方を含む。記憶メディアは、コンピュータによってアクセスされ得る任意の利用可能なメディアであり得る。例として、このようなコンピュータ可読メディアは、限定するものではないが、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または命令またはデータ構造の形態で所望のプログラムコードを搬送または記憶するために使用されコンピュータによってアクセスされ得る任意の他のメディアを備え得る。また、何らかの接続は当然ながらコンピュータ可読メディアと呼ばれる。例えば、もしソフトウェアが同軸ケーブル、光ファイバケーブル、対より線、デジタル加入者線（ＤＳＬ）、または無線技術、例えば、赤外線、無線、およびマイクロ波を使用してウェブサイト、サーバ、または他の遠隔ソースから送信されるならば、同軸ケーブル、光ファイバケーブル、対より線、ＤＳＬ、または無線技術、例えば、赤外線、無線、およびマイクロ波は、メディアの定義の中に含まれる。ｄｉｓｋおよびｄｉｓｃは、本明細書で使用される場合、コンパクトディスク（ＣＤ）、レーザディスク、光ディスク、デジタル多用途ディスク（ＤＶＤ）、フロッピー(登録商標)ディスク、およびブルーレイディスク（blu-ray disc）（ＢＤ）を含む。ここで、ｄｉｓｋは、通常、データを磁気的に再生し、ｄｉｓｃは、レーザを用いてデータを光学的に再生する。これらの組み合わせも、コンピュータ可読メディアの範囲の中に含まれるべきである。
【００１９】
本明細書に記述される様々な手法は、様々な無線通信システム、例えば、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波ＦＤＭＡ（ＳＣ―ＦＤＭＡ）システム、および他のこのようなシステムのために使用され得る。「システム」および「ネットワーク」という用語は、しばしば本明細書において区別なく使用される。ＣＤＭＡシステムは、ユニバーサル地上無線アクセス（Universal Terrestrial Radio Access）（ＵＴＲＡ）、ＣＤＭＡ２０００等の無線技術を実施し得る。ＵＴＲＡは、広帯域ＣＤＭＡ（Ｗ−ＣＤＭＡ）およびＣＤＭＡの他の変形例を含む。追加的に、ＣＤＭＡ２０００は、ＩＳ−２０００、ＩＳ−９５、およびＩＳ−８５６標準をカバーする。ＴＤＭＡシステムは、グローバル・システム・フォー・モバイル・コミュニケーションズ（Global System for Mobile Communications）（ＧＳＭ(登録商標)）のような無線技術を実施し得る。ＯＦＤＭＡシステムは、エボリューション（Evolved）ＵＴＲＡ（Ｅ−ＵＴＲＡ）、超移動広帯域（Ultra Mobile Broadband）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実施し得る。ＵＴＲＡおよびＥ−ＵＴＲＡは、ユニバーサル・モバイル・テレコミュニケーション・システム（Universal Mobile Telecommunication System）（ＵＭＴＳ）の一部分である。３ＧＰＰロング・ターム・エボリューション（Long Term Evolution: ＬＴＥ）は、Ｅ−ＵＴＲＡを用いてこれから出るリリースであり、ダウンリンクでＯＦＤＭＡを採用し、アップリンクでＳＣ−ＦＤＭＡを採用する。ＵＴＲＡ、Ｅ−ＵＴＲＡ、ＵＭＴＳ、ＬＴＥ、およびＧＳＭは、「第３世代パートナーシッププロジェクト」（３ＧＰＰ）と名づけられた組織からの文書に記述されている。さらに、ＣＤＭＡ２０００およびＵＭＢは、「第３世代パートナーシッププロジェクト２」（３ＧＰＰ２）と名づけられた組織からの文書に記述されている。
【００２０】
様々な態様は、多数のデバイス、コンポーネント、モジュール等を含むことのできるシステムの観点から提示される。様々なシステムは、付加的なデバイス、コンポーネント、モジュールなどを含み得ること、および／または図面と関連して論じられるデバイス、コンポーネント、モジュールなどの全てを含み得ないことを理解し認識すべきである。これらアプローチの組み合わせも使用され得る。
【００２１】
図面を参照すると、図１が単一の送信機を使用して複数搬送波信号を通信することを容易にする例示的システム１００を示す。システム１００は、同時送信のために複数のデジタル信号を受信し、これら信号へ回転を適用する信号回転コンポーネント１０２、回転された信号を含む単一の信号を生成する信号結合コンポーネント１０４、および単一の信号を送信する送信コンポーネント１０６を含む。１つの例において、前記のコンポーネントは移動デバイス、アクセスポイント、または無線ネットワーク内で信号を送信する他のデバイス内に包含されることができる。
【００２２】
１つの例によれば、信号回転コンポーネント１０２は、２つのデジタル信号を受信できる（例えば、デュアル搬送波プロトコル構成）。デジタル信号は、搬送波で送信されるべき１つまたは複数のデータ記号(data symbols)に対応でき、例えば、このデジタル信号は多重化、拡散、および／またはパルス整形されたデータ記号を表すことができる。１つの例において、拡散は、所与の搬送波についてこれらデータ記号から複素値チップ系列を生成できる。複素値チップ系列はパルス整形されて信号回転コンポーネント１０２へ送られる。例えば、複素値チップ系列は、これらデータ記号、例えば、ウォルシュ符号および／または同等なものを使用して生成されるようなデータ記号を表すチップ（例えば、ビット）の系列を指すことができる。２つのデジタル信号を取得することに伴い、信号回転コンポーネント１０２は周波数の複素シヌソイドによって１つの信号を正方向に回転し、同一または類似の周波数の複素シヌソイドによって他の信号を負方向に回転できる。１つの例において、この周波数は全送信周波数の端数（例えば、１／２、１／４など）であることができる。
【００２３】
信号回転コンポーネント１０２は、これら２つの信号を含む単一のベースバンド波形を生成するために、回転された信号を信号結合コンポーネント１０４へ提供できる。信号結合コンポーネント１０４は、これら２つの回転された信号を加算することによって単一のベースバンド波形を生成できる。送信コンポーネント１０６は無線ネットワークで単一のベースバンド波形を送信できる。１つの例において、この波形が送信コンポーネント１０６によって送信される前にアナログ信号へ変換され、このような信号を送信するために割り振られた周波数帯域へアップコンバートされ、電力増幅されるなどできることを認識すべきである。さらに、１つの例において、無線ネットワークは高速パケットアクセス（ＨＳＰＡ）プロトコル、例えば、高速アップリンク・パケット・アクセス（high-speed uplink packet access）（ＨＳＵＰＡ）、高速ダウンリンク・パケット・アクセス（high-speed downlink packet access）（ＨＳＤＰＡ）など、または類似のプロトコルを利用できる。
【００２４】
次に図２を参照すると、無線通信ネットワークへ参加できる通信装置２００が示される。通信装置２００は移動デバイス、アクセスポイント、これらの一部分であったり、無線ネットワークで信号を送信できる実質的に任意のデバイスであったりできる。通信装置２００は、複数の搬送波で送信するために受け取られたデータから１つまたは複数の信号を生成するデジタル信号生成コンポーネント２０２、１つまたは複数のデジタル信号へ回転を適用する信号回転コンポーネント１０２、１つまたは複数の信号を加算して単一のベースバンド波形を生成する信号結合コンポーネント１０４、単一のベースバンド波形のアナログ表現を生成するデジタルアナログ変換（ＤＡＣ）コンポーネント２０４、アナログ信号を関連周波数の信号へ変換する信号アップコンバートコンポーネント２０６、およびアップコンバートされた信号を送信する送信コンポーネント１０６を含むことができる。
【００２５】
１つの例によれば、デジタル信号生成コンポーネント２０２は、複数の搬送波で通信するためのデータを受け取ることができる。例えば、デジタル信号生成コンポーネント２０２はメディアアクセス制御（ＭＡＣ）または類似の層からデータを受け取ることができる。デジタル信号生成コンポーネント２０２は、各データストリームについて１つのデジタル信号を生成できる。これは、データを通信路符号化(channel coding)および多重化すること、符号化および多重化されたデータを拡散符号に従って１つまたは複数の複素値チップ系列へ拡散すること、チップ系列をパルス整形することなどを含むことができる。デジタル信号生成コンポーネント２０２はこれらデジタル信号を信号回転コンポーネント１０２へ提供できる。信号回転コンポーネント１０２は、記述されたように、これら信号を回転できる。即ち、１つの信号を正方向に、他の信号を負方向に回転できる。
【００２６】
信号結合コンポーネント１０４は、回転された信号を結合し（例えば、信号を加算することによって）、単一のベースバンド波形を生成できる。ＤＡＣコンポーネント２０４は単一のベースバンド波形のアナログ表現を生成できる。これは低域フィルタを波形へ適用してアナログ信号を再構築することを含むことができる。信号アップコンバートコンポーネント２０６は通信装置２００の動作範囲内の周波数へアナログ信号を変換できる。１つの例において、信号アップコンバートコンポーネント２０６は通信装置２００へ割り振られた複数の隣接搬送波周波数によって占有される範囲に対応する平均周波数を中心としてアナログ信号を発振する。送信コンポーネント１０６はアップコンバートされた信号を１つまたは複数の無線ネットワークデバイスへ送信できる。
【００２７】
１つの例において、通信装置２００は１０メガヘルツ（ＭＨｚ）周波数範囲で動作できる。この例において、信号回転コンポーネント１０２は、複素シヌソイドによって＋２．５ＭＨｚで受信デジタル信号の１つを回転し、複素シヌソイドによって−２．５ＭＨｚで受信デジタル信号の他の１つを回転できる。この例において、２．５ＭＨｚは回転周波数と呼ばれることができる。信号結合コンポーネント１０４は記述されたようにこれら信号を結合し、ＤＡＣコンポーネント２０４は結合された信号のアナログ表現を生成できる。信号アップコンバートコンポーネント２０６はそれぞれ略５ＭＨｚである２つの隣接周波数搬送波の間を中心としてアナログ信号を発振できる。例えば、２つの隣接周波数搬送波は１つまたは複数のネットワークデバイスへこれら信号を送信するため通信装置２００へ前もって割り当てられることができる。送信コンポーネント１０６は２つの隣接周波数搬送波でアナログ信号を送信できる。
【００２８】
さらに、記述されたように、通信装置２００はＨＳＵＰＡプロトコルを使用して通信できる。ＨＳＵＰＡプロトコルはデュアル搬送波ＨＳＵＰＡ（ＤＣ−ＨＳＵＰＡ）プロトコルであることができる。この例において、専用物理制御チャネル（dedicated physical control channel）（ＤＰＣＣＨ）、エンハンスドＤＰＣＣＨ（enhanced-DPCCH）（Ｅ−ＤＰＣＣＨ）、エンハンスド専用物理データチャネル（enhanced dedicated physical data channel）（Ｅ―ＤＰＤＣＨ）、高速ＤＰＣＣＨ（ＨＳ−ＤＰＣＣＨ）のような一定の通信路は例えば上述されたコンポーネントおよび機能を使用してデュアル搬送波で送信でき、他方、専用物理データチャネル（dedicated physical data channel）（ＤＰＤＣＨ）のようないくつかの通信路は単一の搬送波でのみ送信される。１つの例において、デジタル信号生成コンポーネント２０２はデュアル搬送波を横切って合同でＥ−ＤＰＣＣＨを符号化できる。例えば、これはデュアル搬送波間の電力比が閾値限度を越えないことを確保するために付加的制約を要求できる。この例において、通信装置２００は、エンハンスド専用チャネル（Ｅ−ＤＣＨ）トランスポートフォーマット結合インディケータ（transport format combination indicator）（Ｅ−ＴＦＣＩ）の一部分を利用して１つの搬送波（例えば、主搬送波）上のトランスポート・ブロック・サイズ（transport block size）（ＴＢＳ）を知らせ、Ｅ―ＴＦＣＩの残りの部分を利用して第２の搬送波上のＴＢＳの相対的差異を知らせることができる。送信コンポーネント１０６はＤＣ−ＨＳＵＰＡにおけるオーバヘッドチャネルの送信を最適化するためにこれについてＥ−ＴＦＣＩ信号を送信できる。他の例において、送信コンポーネント１０６は代わりに単一の搬送波でＨＳ―ＤＰＣＣＨを送信してデュアル搬送波でのチャネル送信によって取り込まれる干渉を緩和できる。
【００２９】
ここで図３を参照すると、各々が異種の搬送波に関連した複数のチップ系列を無線ネットワークで送信するために単一の信号へ変調することを容易にする無線通信システム３００が示される。システム３００は、例えば、移動デバイス、アクセスポイント、または類似のデバイスにおける送信プロセッサまたは他のコンポーネントの一部分であることができる。システム３００は、搬送波上を拡散動作からチップ系列を受け取る複数のパルス整形コンポーネント３０２および３０４、シヌソイドに従ってデジタル信号を回転する信号回転コンポーネント３０６および３０８、および回転された信号を加算して単一のベースバンド波形を形成する信号結合コンポーネント３１０を含み得る。システム３００は、波形を実および虚部分へ分離する複素分割コンポーネント３１２、前記部分へ変換を適用する複数の回転器３１４および３１６、および変換された実および虚部分を加算して送信用の信号を生成する結合器３１８をさらに含み得る。
【００３０】
１つの例によれば、パルス整形コンポーネント３０２が搬送波１上で拡散動作から複素値チップ系列を受け取り、パルス整形コンポーネント３０４は搬送波２上で拡散動作から複素値チップ系列を受け取ることができる。パルス整形コンポーネント３０２（および３０４）は、通信チャネルで送信するために適した波形へチップ系列を修正する。信号回転コンポーネント３０６は、全体の割り当てられた周波数の半分に対応する負の複素シヌソイドによってパルス整形コンポーネント３０２からの波形を回転できる。例えば、これは搬送波１を表せる低い割り当てチャネル周波数（ωＬ）、および搬送波２を表せる高い割り当てチャネル周波数（ωＨ）に対応できる。記述されたように、これらは１つの例において隣接周波数であることができる。従って、例えば、回転周波数は（ωＨ−ωＬ）／２として計算されることができる。これに関し、信号回転コンポーネント３０６は複素シヌソイドｅ−ｊ（（ωＨ−ωＬ）／２）ｔに従って信号を回転でき、ここでｊは虚数であり、ｔは定数である。
【００３１】
同様に、信号回転コンポーネント３０８は、パルス整形コンポーネント３０４から受信された信号を複素シヌソイドの正の表現によって回転できる。従って、このシヌソイドは、例えば、ｅ＋ｊ（（ωＨ−ωＬ）／２）ｔであることができる。信号結合コンポーネント３１０は、記述されたように、回転された信号を加算して、結果の単一のベースバンド波形を複素分割コンポーネント３１２へ提供できる。複素分割コンポーネント３１２は、波形の実および虚部分、即ちＲｅ｛Ｓ｝およびＩｍ｛Ｓ｝へ、波形を分離できる。回転器３１４および３１６は、Ｒｅ｛Ｓ｝およびＩｍ｛Ｓ｝へ回転を適用できる。例えば、回転器３１４はｃｏｓ（（（ωＬ＋ωＨ）／２）ｔ）によってＲｅ｛Ｓ｝を回転し、回転器３１６は−ｓｉｎ（（（ωＬ＋ωＨ）／２）ｔ）によってＩｍ｛Ｓ｝を回転できる。結合器３１８は、回転された実および虚部分を結合して、無線ネットワークで送信するための信号を生成できる。
【００３２】
図４へ移ると、各々が異種の搬送波に関連した複数のチップ系列を、無線ネットワークで送信するために単一の信号へ変調することを容易にする無線通信システム４００が示される。システム４００は、例えば、移動デバイス、アクセスポイント、または類似のデバイス内の送信プロセッサまたは他のコンポーネントの一部分であることができる。システム４００は、別々の搬送波上で拡散動作からチップ系列を受け取る複数のパルス整形コンポーネント３０２、３０４、４０２、および４０４、シヌソイドに従ってデジタル信号を回転する信号回転コンポーネント３０６、３０８、４０６、および４０８、および回転された信号を加算して単一のベースバンド波形を形成する信号結合コンポーネント３１０および４１０を含むことができる。システム４００は、他の複素シヌソイドに従って、結合された信号を回転する更なる信号回転コンポーネント４１２および４１４、並びに回転された更なる信号を加算して単一のベースバンド波形を生成する他の信号結合コンポーネント４１６をさらに含むことができる。システム４００は、波形を実および虚部分へ分離する複素分割コンポーネント３１２、前記部分へ変換を適用する複数の回転器３１４および３１６、および変換された実および虚部分を加算して送信用の信号を生成する結合器３１８を付加的に含む。システム４００はシステム３００と類似しているが、４つの別々の搬送波をサポートするため階層的に拡張されていることを認識すべきである。２＾ｎの搬送波をサポートするため階層を同様に拡張することによって追加のシステムを作り出し得ることをさらに認識すべきである。ここでｎは正の整数である。
【００３３】
１つの例によれば、パルス整形コンポーネント３０２が搬送波１上で拡散動作から複素値チップ系列を受け取り、パルス整形コンポーネント３０４が搬送波２上で拡散動作から複素値チップ系列を受け取り、パルス整形コンポーネント４０２が搬送波３上で拡散動作から複素値チップ系列を受け取り、パルス整形コンポーネント４０４が搬送波４上で拡散動作から複素値チップ系列を受け取ることができる。パルス整形コンポーネント３０２、３０４、４０２、および４０４は、通信チャネルで送信するために適した波形へそれぞれのチップ系列を修正する。信号回転コンポーネント３０６および４０６は、搬送波１および２の全体の割り当て周波数の半分、および搬送波３および４のために割り当てられた全体の周波数の半分にそれぞれ対応する負の複素シヌソイドによってパルス整形コンポーネント３０２および４０２からのそれぞれの波形を回転できる。同様に、信号回転コンポーネント３０８および４０８は、搬送波１および２の全体の割り当て周波数の半分、および搬送波３および４について割り当てられた全体の周波数の半分にそれぞれ対応する正の複素シヌソイドによってパルス整形コンポーネント３０４および４０４からのそれぞれの波形を回転できる。
【００３４】
さらに、この例において、搬送波１の割り当てられたチャネル周波数は（ωＬＬ）として表され、搬送波２の割り当てられたチャネル周波数は（ωＬＨ）として表され、搬送波３の割り当てられたチャネル周波数は（ωＨＬ）として表され、搬送波４の割り当てられたチャネル周波数は（ωＨＨ）として表されることができる。記述されたように、これらは１つの例において隣接周波数であることができる。従って、例えば、信号回転コンポーネント３０６および３０８の回転周波数は、（ωＬＨ−ωＬＬ）／２として計算されることができる。これに関し、信号回転コンポーネント３０６は複素シヌソイドｅ−ｊ（（ωＬＨ−ωＬＬ）／２）ｔに従って信号を回転できる。ここで、ｊは虚数であり、ｔは定数である。同様に、信号回転コンポーネント３０８は、複素シヌソイドの正の表現によってパルス整形コンポーネント３０４から受け取られた信号を回転できる。従って、このシヌソイドは、例えば、ｅ＋ｊ（（ωＬＨ−ωＬＬ）／２）ｔであることができる。
【００３５】
加えて、信号回転コンポーネント４０６および４０８の回転周波数は（ωＨＨ−ωＨＬ）／２として計算されることができる。従って、信号回転コンポーネント４０６は複素シヌソイドｅ−ｊ（（ωＨＨ−ωＨＬ）／２）ｔに従って信号を回転できる。ここで、ｊは虚数であり、ｔは定数である。同様に、信号回転コンポーネント４０８は複素シヌソイドの正の表現によって、パルス整形コンポーネント４０４から受け取られた信号を回転できる。従って、このシヌソイドは、例えば、ｅ＋ｊ（（ωＨＨ−ωＨＬ）／２）ｔであることができる。
【００３６】
加えて、図示されるように、信号回転コンポーネント４１２は、［（（ωＨＨ＋ωＨＬ）／２）−（（ωＬＨ＋ωＬＬ）／２）］／２として計算された回転周波数だけ、信号結合コンポーネント３１０からの信号を回転できる。これに関し、信号回転コンポーネント４１２はシヌソイドｅ−ｊ（［（（ωＨＨ＋ωＨＬ）／２）−（（ωＬＨ＋ωＬＬ）／２）］／２）ｔによって、受信された信号を回転できる。同様に、信号回転コンポーネント４１４はシヌソイドｅ＋ｊ（［（（ωＨＨ＋ωＨＬ）／２）−（（ωＬＨ＋ωＬＬ）／２）］／２）ｔによって、信号結合コンポーネント４１０から受信された結合信号を回転できる。信号結合コンポーネント４１６は、記述されたように、信号回転コンポーネント４１２および４１４からの回転された信号を加算して、結果の単一のベースバンド波形を複素分割コンポーネント３１２へ提供できる。
【００３７】
複素分割コンポーネント３１２は、波形の実および虚部分、即ち、それぞれＲｅ｛Ｓ｝およびＩｍ｛Ｓ｝へ波形を分離できる。回転器３１４および３１６は、Ｒｅ｛Ｓ｝およびＩｍ｛Ｓ｝へ回転を適用できる。例えば、回転器３１４はｃｏｓ（（［（（ωＨＨ＋ωＨＬ）／２）＋（（ωＬＨ＋ωＬＬ）／２）］／２）ｔ）によってＲｅ｛Ｓ｝を回転し、回転器３１６は−ｓｉｎ（（［（（ωＨＨ＋ωＨＬ）／２）＋（（ωＬＨ＋ωＬＬ）／２）］／２）ｔ）によってＩｍ｛Ｓ｝を回転できる。結合器３１８は、回転された実および虚部分を結合し、無線ネットワークで送信するための信号を生成できる。２＾ｎの搬送波は、記述されたように、付加的なパルス整形コンポーネント、信号回転コンポーネント、および信号結合コンポーネントを階層的に加えて、付加的な結合波形を同様に生成することによってサポートされることができる。
【００３８】
しかしながら、追加の実施が可能であることを認識すべきである。１つの例において、４つの搬送波をサポートするには、図４で示されるように、代わりに、４つの信号回転コンポーネント３０６、３０８、４０６、および４０８が存在でき、これら信号は信号結合コンポーネント４１６によって結合され得る。この例において、信号結合コンポーネント３１０および４１０、並びに信号回転コンポーネント４１２および４１４は存在しなくてもよい。従って、信号回転コンポーネント３０６は複素シヌソイドｅｘｐ［ｊ（−（ωＨＨ＋ωＨＬ）／４−（ωＬＨ−３ωＬＬ）／４）ｔ］によってパルス整形コンポーネント３０２からの信号を回転し、信号回転コンポーネント３０８は複素シヌソイドｅｘｐ［ｊ（−（ωＨＨ＋ωＨＬ）／４＋（３ωＬＨ−ωＬＬ）／４）ｔ］によってパルス整形コンポーネント３０４からの信号を回転し、信号回転コンポーネント４０６は複素シヌソイドｅｘｐ［ｊ（−（ωＨＨ−３ωＨＬ）／４−（ωＬＨ＋ωＬＬ）／４）ｔ］によってパルス整形コンポーネント４０２からの信号を回転し、信号回転コンポーネント４０８は複素シヌソイドｅｘｐ［ｊ（（３ωＨＨ−ωＨＬ）／４−（ωＬＨ＋ωＬＬ）／４）ｔ］によってパルス整形コンポーネント４０４からの信号を回転できる。
【００３９】
ここで図５を参照すると、単一の送信機でのアップリンク送信のために複数搬送波波形を合成することを容易にする無線通信システム５００が示される。システム５００は、記述されたように、移動デバイス、アクセスポイントなどの一部分であることができる無線送信機の内部、および／または移動デバイス、アクセスポイントなどの一部分の内部で実施され得る。図示および記述されたように、システム５００は、１０ＭＨｚの周波数範囲で動作し、無線ネットワークで信号を送信するために２つの隣接した５ＭＨｚ周波数部分を割り当てられることができる。例えば、システム５００は移動デバイスの一部分であり、アクセスポイントまたは他のデバイスはこれらアクセスポイントまたは他のデバイスへ信号を送信するために隣接５ＭＨｚ搬送波を前記移動デバイスへ割り当てる。システム５００は、複数の搬送波に関連した複数の信号から単一のベースバンド波形を生成できるデジタルベースバンド部分５０２、波形をアナログ信号へ変換できるデジタル・ベースバンド・フロント・エンド５０４、およびアナログ信号をアップコンバートおよび送信できる無線周波（ＲＦ）部分５０６を含むことができる。
【００４０】
デジタルベースバンド部分５０２は、関連した通信チャネルで送信するためにＭＡＣ層トランスポートブロックを変換する通信路符号化および多重化コンポーネント５０８および５１０、記述されたように、変換および多重化されたトランスポートブロックへ拡散符号を適用して複素値チップ系列を生成する拡散コンポーネント５１２、通信チャネルで送信するためチップ系列を波形へ変換するパルス整形コンポーネント３０２および３０４、複素シヌソイドを適用して波形を回転する信号回転コンポーネント３０６および３０８、および回転された波形を加算して単一のベースバンド波形を生成する信号結合コンポーネント３１０を含むことができる。
【００４１】
デジタル・ベースバンド・フロント・エンド５０４は、デジタル信号をアナログ表現へ変換するＤＡＣコンポーネント２０４、およびアナログ信号を平滑化する低域フィルタコンポーネント５１６を含むことができる。ＲＦ部分５０６は、システム５００を採用するデバイスに関連した周波数へアナログ信号を変換する信号アップコンバートコンポーネント２０６、信号アップコンバートコンポーネント２０６の周波数の中心を指定値にする発振器５１８、この信号のために送信電力を設定する電力増幅コンポーネント５２０、および指定された電力でこの信号を送信する送信コンポーネント５２２を含むことができる。
【００４２】
１つの例によれば、通信路符号化および多重化コンポーネント５０８および５１０は、別々の搬送波で送信するためＭＡＣ層から複数のトランスポートブロックを受け取ることができる（例えば、ＤＣ−ＨＳＵＰＡ構成および／または同等なもの）。通信路符号化および多重化コンポーネント５０８および５１０は、ブロックを送信すべき通信チャネルに関連したトランスポートブロックへ符号化を適用し、それぞれ特定の搬送波に関連したトランスポートブロックを多重化することができる。拡散コンポーネント５１２および５１４は、通信路符号化および多重化コンポーネント５０８および５１０から、符号化および多重化されたトランスポートブロックをそれぞれ受け取ることができる。拡散コンポーネント５１２および５１４は、記述されたように、受け取られたトランスポートブロックへ拡散符号を適用し、複素値チップ系列を生成し、パルス整形コンポーネント３０２および３０４へチップ系列をそれぞれ提供できる。パルス整形コンポーネント３０２および３０４は、記述されたように、関連した通信チャネルに適した波形をチップ系列から生成できる。
【００４３】
パルス整形コンポーネント３０２および３０４は、それぞれパルス整形された波形を信号回転コンポーネント３０６および３０８へ提供できる。記述されたように、信号回転コンポーネント３０６および３０８は、パルス整形コンポーネント３０２および３０４からのデジタル信号をそれぞれ反対方向に回転できる。例えば、信号回転コンポーネント３０６は、２．５ＭＨｚの負の複素シヌソイドによってパルス整形コンポーネント３０２からの信号を回転できる。これに関し、信号回転コンポーネント３０６は、パルス整形コンポーネント３０２からの信号へシヌソイドｅ−ｊω０ｎを適用できる。ここで、ω０＝２＊π＊（２．５ｅ６）であり、ｎは定数である。同様に、信号回転コンポーネント３０８は、パルス整形コンポーネント３０４からの信号へシヌソイドｅ＋ｊω０ｎを適用し得る。記述されたように、信号結合コンポーネント３１０は、信号回転コンポーネント３０６および３０８からの回転された信号を加算して、２つの搬送波上で送信されるべきデータを表す単一のベースバンド波形を生成できる。
【００４４】
信号結合コンポーネント３１０は、アナログ信号へ変換するための波形をＤＡＣコンポーネント２０４へ提供できる。ＤＡＣコンポーネント２０４は波形をアナログ信号へ変換し、低域フィルタコンポーネント５１６は送信するための信号を平滑化できる。低域フィルタコンポーネント５１６は、アナログ信号を信号アップコンバートコンポーネント２０６へ提供できる。信号アップコンバートコンポーネント２０６は、発振器５１８から入力を受信し、発振器５１８はアップコンバートされた信号の中心となる周波数を決定できる。例えば、発振器５１８は、システム５００へ割り当てられた隣接搬送波の中心を決定し得る。例えば、隣接搬送波周波数は、それぞれＦ１およびＦ２として表されることができる。従って、発振器５１８は、（Ｆ１＋Ｆ２）／２に従って中心を決定できる。信号アップコンバートコンポーネント２０６は、アナログ信号の中心を（Ｆ１＋Ｆ２）／２として、隣接周波数搬送波を展開(span)できる。記述されたように、システム５００は、２つの５ＭＨｚ搬送波によって表される１０ＭＨｚを割り当てられることができる。信号アップコンバートコンポーネント２０６は、単一の電力増幅コンポーネント５２０へ信号を通過させ得る。電力増幅コンポーネント５２０は隣接搬送波上で信号を送信するための電力を選択し、単一の送信コンポーネント５２２はそれに従って信号を送信できる。
【００４５】
ここで図６を参照すると、複数の送信機上のアップリンク送信のために複数搬送波波形を合成することを促進する無線通信システム６００が示される。システム６００は、記述されたように、移動デバイス、アクセスポイントなどの一部分であり得る無線送信機の内部、および／または移動デバイス、アクセスポイントなどの一部分の内部で実施されることができる。図示および記述されるように、システム６００は、１０ＭＨｚ周波数範囲で動作し、無線ネットワークで信号を送信するために２つの非隣接（または隣接）５ＭＨｚ周波数部分を割り当てられることができる。例えば、システム６００は移動デバイスの一部分であり、アクセスポイントまたは他のデバイスは、アクセスポイントまたは他のデバイスへ信号を送信するための５ＭＨｚ搬送波を前記移動デバイスへ割り当てる。システム６００は、複数の搬送波に関連した複数の信号から波形を生成するデジタルベースバンド部分６０２、波形をアナログ信号へ変換し得るデジタル・ベースバンド・フロント・エンド６０４、およびアナログ信号をアップコンバートおよび送信し得る無線周波（ＲＦ）部分６０６を含むことができる。
【００４６】
デジタルベースバンド部分６０２は、関連する通信チャネルで送信するためにＭＡＣ層トランスポートブロックを変換する通信路符号化および多重化コンポーネント５０８および５１０、記述されたように、変換および多重化されたトランスポートブロックへ拡散符号を適用して複素値チップ系列を生成する拡散コンポーネント５１２、および通信チャネルで送信するため波形へチップ系列を変換するパルス整形コンポーネント３０２および３０４を含むことができる。
【００４７】
デジタル・ベースバンド・フロント・エンド６０４は、デジタル信号をアナログ表現へ変換するＤＡＣコンポーネント２０４および６０８、およびアナログ信号を平滑化する低域フィルタコンポーネント５１６および６１０を含むことができる。ＲＦ部分６０６は、システム６００を採用するデバイスに関連した周波数へアナログ信号を変換する信号アップコンバートコンポーネント２０６および６１２、指定された値を信号アップコンバートコンポーネント２０６および６１２の周波数のそれぞれの中心にする発振器６１４および６１６、信号の送信電力を設定する電力増幅コンポーネント５２０および６１８、および指定された電力で信号を送信する送信コンポーネント５２２および６２０を含むことができる。
【００４８】
１つの例によれば、通信路符号化および多重化コンポーネント５０８および５１０は、別々の搬送波上で送信するため複数のトランスポートブロックをＭＡＣ層から受け取ることができる（例えば、ＤＣ−ＨＳＵＰＡ構成および／または同等なもの）。通信路符号化および多重化コンポーネント５０８および５１０は、ブロックを送信すべき通信チャネルに関連したトランスポートブロックへ符号化を適用し、それぞれ特定の搬送波に関連したトランスポートブロックを多重化できる。拡散コンポーネント５１２および５１４は、それぞれ通信路符号化および多重化コンポーネント５０８および５１０から、符号化および多重化されたトランスポートブロックを受け取ることができる。拡散コンポーネント５１２および５１４は、受け取られたトランスポートブロックへ拡散符号を適用し、記述されたように、複素値チップ系列を生成し、それぞれパルス整形コンポーネント３０２および３０４へチップ系列を提供できる。パルス整形コンポーネント３０２および３０４は、記述されたように、関連する通信チャネルに適した波形をチップ系列から生成できる。
【００４９】
パルス整形コンポーネント３０２および３０４は、アナログ信号へ変換するために、パルス整形された波形をＤＡＣコンポーネント２０４および６０８へそれぞれ提供できる。ＤＡＣコンポーネント２０４および６０８は波形をアナログ信号へ変換し、低域フィルタコンポーネント５１６および６１０は送信用の信号を平滑化できる。低域フィルタコンポーネント５１６および６１０は、それぞれ信号アップコンバートコンポーネント２０６および６１２へアナログ信号を提供できる。信号アップコンバートコンポーネント２０６は発振器６１４から入力を受け取り、発振器６１４はアップコンバートされた信号の中心となる周波数（Ｆ１）を決定できる。例えば、発振器６１４は、システム６００へ割り当てられる第１の通信搬送波を決定できる。
【００５０】
信号アップコンバートコンポーネント２０６は、Ｆ１をアナログ信号の中心にして第１の割り当てられた通信搬送波を展開(span)できる。信号アップコンバートコンポーネント６１２は、発振器６１６から入力を受け取り得る。発振器６１６は、アップコンバートされた信号の中心となる周波数（Ｆ２）を決定し得る。例えば、発振器６１４は、システム６００へ割り当てられる第２の通信搬送波を決定し得る。信号アップコンバートコンポーネント６１２は、Ｆ２をアナログ信号の中心にして第２の割り当てられた通信搬送波を展開できる。記述されたように、システム６００は、２つの５ＭＨｚ搬送波によって表される１０ＭＨｚを割り当てられることができる。信号アップコンバートコンポーネント２０６および６１２は、それぞれ電力増幅コンポーネント５２０および６１８へ信号を通過させ、電力増幅コンポーネント５２０および６１８はこれら搬送波で信号を送信するための電力を選択し、送信コンポーネント５２２および６２０はそれに従って信号を送信できる。
【００５１】
ここで図７および図８を参照すると、本明細書に記述される様々な態様に従って行われることのできる方法が示される。説明を簡単にするため、この方法は一連の活動として図示および記述されるが、この方法はこれら活動の順序によって限定されないことを理解および認識すべきである。というのは、幾つかの活動は、１つまたは複数の態様に従って、本明細書で図示および記述される順序とは異なる順序および／または他の活動と同時に起こり得るからである。例えば、方法は、一連の相互関連する状態または事象として、例えば状態図の中で、代替的に表され得ることを当業者は理解および認識するはずである。さらに、１つまたは複数の態様に従って方法を実施するためには、示された活動の全てが要求されるわけではない。
【００５２】
図７を参照すると、単一のベースバンド波形上のデュアル搬送波通信を合成できる例示的方法７００が示される。７０２では、搬送波に関連したデジタル信号が複素シヌソイドに従って回転されることができる。記述されたように、複素シヌソイドは回転周波数に関連し、それに従って計算されることができる。例えば、回転周波数は、無線ネットワークで信号を送信するために割り振られた周波数の一部分であることができる。７０４では、異種の搬送波に関連した異種のデジタル信号が、複素シヌソイドの負の表現に従って回転されることができる。従って、例えば、複素シヌソイドの負の表現は、記述されたように、回転周波数の負の値に従って計算されることができる。７０６では、単一のベースバンド波形を生成するために、デジタル信号および異種のデジタル信号が結合されることができる。記述されたように、単一のベースバンド波形が、信号の送信に割り振られた周波数部分で送信され、単一の送信機がデュアル搬送波信号を送信するようにされる。
【００５３】
ここで図８を参照すると、回転されたデジタル信号を結合して、デジタル信号を送信するための単一のベースバンド波形を生成することを容易にする例示的方法８００が示される。８０２では、搬送波に関連したデジタル信号が２．５ＭＨｚだけ回転されることができる。記述されたように、これは正方向に２．５ＭＨｚだけ回転するための複素シヌソイドを計算すること、および複素シヌソイドをデジタル信号へ適用することを含むことができる。異種の搬送波に関連した異種のデジタル信号は、８０４において−２．５ＭＨｚだけ回転されることができる。これに関して、複素シヌソイドは負の回転周波数に従って計算されることができる。負の回転周波数は、記述されたように、前の複素シヌソイドの負の表現であることができる。８０６では、単一のベースバンド波形を生成するために、デジタル信号および異種のデジタル信号が結合されることができる。８０８では、信号の送信に割り当てられた２つの隣接５ＭＨｚ搬送波の周りで、単一のベースバンド波形が発振されることができる。従って、記述されたように、２つの搬送波からのデータが単一のベースバンド波形へ合成され、単一のベースバンド波形がＤＣ−ＨＳＵＰＡまたは他のデュアル搬送波送信プロトコルをサポートするために、割り当てられた周波数で送信されることができる。
【００５４】
本明細書に記述される１つまたは複数の態様によれば、回転周波数の決定、アップコンバートまたは発振周波数の選択、および／または同等なもの他に関して推論が行われることが可能であることが認識されるであろう。本明細書で使用されるように、「推論する」または「推論」の用語は、一般に、事象および／またはデータを介して捕捉されるような観察の集合から、システム、環境、および／またはユーザの状態に関して判断するプロセス、または前記状態を推論するプロセスを指す。推論は、特定のコンテキストまたは活動を識別するためにするために採用可能であるか、または、例えば、状態の確率分布を生成できる。推論は確率的であることができる。即ち、推論は、データおよび事象の考慮に基づき、関心事である状態の確率分布を計算することであることができる。推論は、事象および／またはデータの集合から一層高いレベルの事象を合成するために採用される手法をさらに指す。事象が、接近した時間的近接性の中で相関しているかどうかに関係なく、および事象およびデータが、事象およびデータソースの１つから来るか複数から来るかに関係なく、このような推論は、観察された事象および／または記憶された事象データの集合から新しい事象または行動を構築することを生じる。
【００５５】
図９を参照すると、複数の搬送波信号を備える単一のベースバンド波形を送信するシステム９００が示される。例えば、システム９００は、基地局、移動デバイス、または無線ネットワークへのアクセスを提供する他のデバイスの中に少なくとも部分的に存在することができる。システム９００は機能ブロックを含むように表され、機能ブロック、プロセッサ、ソフトウェア、またはこれらの組み合わせ（例えば、ファームウェア）によって実施される機能を表す機能ブロックであることができることを認識すべきである。システム９００は、連動して活動できる電気コンポーネントから成る論理グループ９０２を含む。例えば、論理グループ９０２は、搬送波に関連したデジタル信号を正方向に回転周波数だけ回転し、異種の搬送波に関連する異種のデジタル信号を負方向に回転周波数だけ回転する電気コンポーネント９０４を含むことができる。記述されたように、信号の回転は、回転周波数だけ回転することに対応する複素シヌソイドを信号へ適用することを含むことができる。従って、例えば、シヌソイドの負の表現は、負の回転周波数から計算されるときに異種のデジタル信号へ適用されることができる。
【００５６】
さらに、論理グループ９０２は、デジタル信号および異種のデジタル信号を加算して単一のベースバンド波形を生成する電気コンポーネント９０６を備えることができる。さらに、論理グループ９０２は、単一のベースバンド波形をアナログ信号へ変換する電気コンポーネント９０８、および無線ネットワークで信号を送信するために割り振られた複数の隣接搬送波の中の周波数へアナログ信号をアップコンバートする電気コンポーネント９１０を含むことができる。本明細書に記述されたように、複数の搬送波からのデジタル信号は、単一の送信される波形上で合成されることができる。加えて、論理グループ９０２は、複数の隣接搬送波上でアナログ信号を送信する電気コンポーネント９１２を備える。付加的に、システム９００は、電気コンポーネント９０４、９０６、９０８、９１０、および９１２に関連づけられた機能を実行する命令を保持するメモリ９１４を含むことができる。メモリ９１４の外部にあるように図示されているが、電気コンポーネント９０４、９０６、９０８、９１０、および９１２の１つまたは複数がメモリ９１４内に存在できることを理解すべきである。
【００５７】
ここで図１０を参照すると、単一のベースバンド波形として送信するために、生成されたデジタル信号を回転および結合するシステム１０００が示される。例えば、システム１０００は、基地局、移動デバイス、または無線ネットワークへのアクセスを提供する他のデバイスの内部に少なくとも部分的に存在することができる。システム１０００は、機能ブロックを含むように表され、機能ブロックは、プロセッサ、ソフトウェア、またはこれらの組み合わせ（例えば、ファームウェア）によって実施される機能を表す機能ブロックであることができることを認識すべきである。システム１０００は、連動して活動できる電気コンポーネントから成る論理グループ１００２を含む。例えば、論理グループ１００２は、搬送波に関連したデジタル信号を正方向に回転周波数だけ回転し、異種の搬送波に関連した異種のデジタル信号を負方向に回転周波数だけ回転する電気コンポーネント１００４を含むことができる。説明されたように、信号の回転は、回転周波数だけ回転することに対応する複素シヌソイドを信号へ適用することを含むことができる。従って、例えば、シヌソイドの負の表現は、回転周波数の負の値から計算されるとき異種のデジタル信号へ適用されることができる。
【００５８】
さらに、論理グループ１００２は、デジタル信号および異種のデジタル信号を加算して単一のベースバンド波形を生成する電気コンポーネント１００６を備えることができる。さらに、論理グループ１００２は、搬送波に対応する通信チャネルに関連した複数の受信データ記号へ１つまたは複数の拡散符号を適用することによって、デジタル信号を少なくとも部分的に生成する電気コンポーネント１００８を含むことができる。電気コンポーネント１００８は、異種の搬送波に対応する同一または異種の通信チャネルに関連した受信データ記号へ１つまたは複数の拡散符号を適用することによって、異種のデジタル信号を同様に生成できることを認識すべきである。
【００５９】
さらに、論理グループ１００２は、搬送波に対応する通信チャネルで送信するためにデジタル信号をパルス整形する電気コンポーネント１０１０を含むことができる。同様に、電気コンポーネント１０１０は、前に記述されたように、異種のデジタル信号をパルス整形できることを認識すべきである。加えて、論理グループ１００２は、Ｅ−ＴＦＣＩの一部分でデジタル信号のＴＢＳを表示し、Ｅ−ＴＦＣＩの残りの部分で異種のデジタル信号のＴＢＳの差異を表示する電気コンポーネント１０１２を含むことができる。記述されたように、これは搬送波と異種の搬送波との間の閾値電力比（threshold power ratio）を維持しながら、搬送波および異種の搬送波上で、合同で符号化されたチャネルを送信することを容易にできる。付加的に、システム１０００は、電気コンポーネント１００４、１００６、１００８、１０１０、および１０１２に関連づけられた機能を実行する命令を保持するメモリ１０１４を含むことができる。メモリ１０１４の外部にあるように図示されているが、電気コンポーネント１００４、１００６、１００８、１０１０、および１０１２の１つまたは複数がメモリ１０１４内に存在することができることを理解すべきである。
【００６０】
図１１は、本明細書に記述される機能の様々な態様を実施するために利用され得るシステム１１００のブロック図である。１つの例において、システム１１００は、基地局またはノードＢ１１０２を含む。図示されるように、ノードＢ１１０２は、１つまたは複数の受信（Ｒｘ）アンテナ１１０６を介して１つまたは複数のＵＥ１１０４から信号を受信し、１つまたは複数の送信（Ｔｘ）アンテナ１１０８を介して１つまたは複数のＵＥ１１０４へ送信できる。追加的に、ノードＢ１１０２は、受信アンテナ１１０６から情報を受け取る受信機１１１０を備えることができる。１つの例において、受信機１１１０は、受け取られた情報を復調する復調器（Ｄｅｍｏｄ）１１１２へ動作的に関連づけられ得る。復調された記号は、次いでプロセッサ１１１４によって解析されることができる。プロセッサ１１１４はメモリ１１１６へ結合されることができる。メモリ１１１６は、コードクラスタに関連した情報、アクセス端末の割り当て、これに関連したルックアップテーブル、唯一無二のスクランブリング系列、および／または他の適切なタイプの情報を記憶できる。１つの例において、ノードＢ１１０２はプロセッサ１１１４を採用し、方法７００、８００、および／または他の類似の適切な方法を行うことができる。ノードＢ１１０２は変調器１１１８をさらに含むことができる。変調器１１１８は、送信アンテナ１１０８を介して送信機１１２０で送信するための信号を多重化できる。
【００６１】
図１２は、本明細書に記述される機能の様々な態様を実施するために利用できる他のシステム１２００のブロック図である。１つの例において、システム１２００は移動端末１２０２を含む。図示されるように、移動端末１２０２は、１つまたは複数の基地局１２０４から信号を受信し、１つまたは複数のアンテナ１２０８を介して１つまたは複数の基地局１２０４へ送信することができる。付加的に、移動端末１２０２は、アンテナ１２０８から情報を受け取る受信機１２１０を備えることができる。１つの例において、受信機１２１０は、受け取られた情報を復調する復調器（Ｄｅｍｏｄ）１２１２へ動作的に関連づけられることができる。復調された記号は、次いでプロセッサ１２１４によって解析されることができる。プロセッサ１２１４はメモリ１２１６へ結合されることができる。メモリ１２１６は、移動端末１２０２に関連したデータおよび／またはプログラムコードを記憶することができる。付加的に、移動端末１２０２はプロセッサ１２１４を採用し、方法７００、８００、および／または他の類似した適切な方法を行うことができる。移動端末１２０２は、これまでの図面に記述された１つまたは複数のコンポーネントをさらに採用して、記述された機能を達成できる。即ち、１つの例において、コンポーネントはプロセッサ１２１４によって実施されることができる。移動端末１２０２は変調器１２１８をさらに含むことができる。変調器１２１８は、アンテナ１２０８を介し送信機１２２０によって送信するための信号を多重化できる。
【００６２】
ここで図１３を参照すると、様々な態様に従って提供される無線多元接続通信システムの例が提供される。１つの例において、アクセスポイント１３００（ＡＰ）は複数のアンテナ群を含む。図１３で示されるように、１つのアンテナ群はアンテナ１３０４および１３０６を含み、他のアンテナ群はアンテナ１３０８および１３１０を含み、他のアンテナ群はアンテナ１３１２および１３１４を含むことができる。図１３では、各アンテナ群について２つだけのアンテナが示されるが、もっと多いまたは少ないアンテナが各アンテナ群で利用されてもよいことを認識すべきである。他の例において、アクセス端末１３１６はアンテナ１３１２および１３１４と通信状態にあることができる。ここで、アンテナ１３１２および１３１４は、順方向リンク１３２０の上でアクセス端末１３１６へ情報を送信し、逆方向リンク１３１８の上でアクセス端末１３１６から情報を受信する。付加的および／または代替的に、アクセス端末１３２２はアンテナ１３０６および１３０８と通信状態にあることができる。ここで、アンテナ１３０６および１３０８は、順方向リンク１３２６の上でアクセス端末１３２２へ情報を送信し、逆方向リンク１３２４の上でアクセス端末１３２２から情報を受信する。周波数分割デュプレックスシステムにおいて、通信リンク１３１８、１３２０、１３２４、および１３２６は、通信用に異なる周波数を使用できる。例えば、順方向リンク１３２０は、逆方向リンク１３１８によって使用される周波数とは異なる周波数を使用してもよい。
【００６３】
各アンテナ群、および／または、各アンテナ群が通信するように設計されるエリアは、アクセスポイントのセクタと呼ばれることができる。一態様によれば、アンテナ群は、アクセスポイント１３００によってカバーされるエリアのセクタ内のアクセス端末と通信するように設計されることができる。順方向リンク１３２０および１３２６の上の通信において、アクセスポイント１３００の送信アンテナは、異なるアクセス端末１３１６および１３２２について順方向リンクの信号対雑音比を改善するために、ビームフォーミングを利用できる。さらに、アクセスポイントのカバレージの中で無作為に散在するアクセス端末へビームフォーミングを使用して送信するアクセスポイントは、単一のアンテナを介してアクセスポイントの全アクセス端末へ送信するアクセスポイントよりも、近隣セル内のアクセス端末で引き起こす干渉が小さい。
【００６４】
アクセスポイント、例えば、アクセスポイント１３００は、端末との通信に使用される固定局であり、基地局、ノードＢ、アクセスネットワーク、および／または他の適切な用語で呼ばれることができる。加えて、アクセス端末、例えば、アクセス端末１３１６または１３２２は、移動端末、ユーザ機器、無線通信デバイス、端末、無線端末、および／または他の適切な用語で呼ばれることができる。
【００６５】
ここで図１４を参照すると、本明細書で記述される様々な態様が機能できる例示的無線通信システム１４００を例示するブロック図が提供される。１つの例において、システム１４００は、送信機システム１４１０および受信機システム１４５０を含む多入力多出力（ＭＩＭＯ）システムである。しかしながら、送信機システム１４１０および／または受信機システム１４５０は、多入力１出力システムへも適用されることができることを認識すべきである。この場合、例えば、複数の送信アンテナ（例えば、基地局での）が、単一のアンテナデバイス（例えば、移動局）へ１つまたは複数の記号ストリームを送信できる。付加的に、本明細書に記述される送信機システム１４１０および／または受信機システム１４５０の態様は、単一出力単一入力アンテナシステムに関連して利用され得ることを認識すべきである。
【００６６】
一態様によれば、送信機システム１４１０において、多数のデータストリームのトラフィックデータが、データソース１４１２から送信（ＴＸ）データプロセッサ１４１４へ提供される。１つの例において、各データストリームは、次いでそれぞれの送信アンテナ１４２４を介して送信されることができる。付加的に、ＴＸデータプロセッサ１４１４は、符号化データを提供するため、それぞれのデータストリームについて選択された特定の符号化スキームに基づき、各データストリームのトラフィックデータをフォーマット、符号化、およびインタリーブすることができる。１つの例において、各データストリームの符号化データは、次いでＯＦＤＭ手法を使用してパイロットデータと多重化されることができる。パイロットデータは、例えば、公知のやり方で処理される公知のデータパターンであることができる。さらに、パイロットデータはチャネル応答を推定するため受信機システム１４５０で使用できる。送信機システム１４１０へ戻って、各データストリームの多重化されたパイロットおよび符号化データは、変調記号を提供するために、それぞれのデータストリームについて選択された特定の変調スキーム（例えば、ＢＰＳＫ、ＱＳＰＫ、Ｍ−ＰＳＫ、またはＭ−ＱＡＭ）に基づき変調（即ち、記号マップ）されることができる。１つの例において、各データストリームのデータレート、符号化、および変調は、プロセッサ１４３０によって遂行および／または提供される命令によって決定されることができる。
【００６７】
次に、全データストリームの変調記号はＴＸ  ＭＩＭＯプロセッサ１４２０へ提供されることができる。ＴＸ  ＭＩＭＯプロセッサ１４２０は、変調記号をさらに処理できる（例えば、ＯＦＤＭの場合）。ＴＸ  ＭＩＭＯプロセッサ１４２０は、次いでＮＴのトランシーバ１４２２ａから１４２２ｔへＮＴの変調記号ストリームを提供できる。１つの例において、各トランシーバ１４２２は、それぞれの記号ストリームを受け取って処理し、１つまたは複数のアナログ信号を提供できる。各トランシーバ１４２２は、次いでアナログ信号をさらに調整し（例えば、増幅、フィルタリング、およびアップコンバート）、ＭＩＭＯチャネルでの送信に適した変調信号を提供できる。従って、トランシーバ１４２２ａ〜１４２２ｔからのＮＴの変調信号は、次いでそれぞれＮＴのアンテナ１４２４ａ〜１４２４ｔから送信されることができる。
【００６８】
他の態様によれば、変調されて送信された信号は、受信機システム１４５０でＮＲのアンテナ１４５２ａ〜１４５２ｒによって受信されることができる。各アンテナ１４５２からの受信信号は、次いでそれぞれのトランシーバ１４５４へ提供さることができる。１つの例において、各トランシーバ１４５４は、それぞれの受信信号を調整（例えば、フィルタリング、増幅、およびダウンコンバート）し、調整された信号をデジタル化してサンプル（samples）を提供し、次いでサンプルを処理し、対応する「受信された」記号ストリームを提供できる。ＲＸ  ＭＩＭＯ／データプロセッサ１４６０は、次いで特定の受信機処理手法に基づきＮＲのトランシーバ１４５４からＮＲの受信記号ストリームを受け取って処理し、ＮＴの「検出された」記号ストリームを提供できる。１つの例において、各々の検出された記号ストリームは、対応するデータストリームについて送信された変調記号の推定値である記号を含むことができる。ＲＸ  ＭＩＭＯ／データプロセッサ１４６０は、次いで各々の検出された記号ストリームを復調、逆インタリーブ、および復号することによって、各記号ストリームを少なくとも部分的に処理し、対応するデータストリームについてトラフィックデータを回復できる。従って、ＲＸ  ＭＩＭＯ／データプロセッサ１４６０による処理は、送信機システム１４１０でＴＸ  ＭＩＭＯプロセッサ１４２０およびＴＸデータプロセッサ１４１８によって遂行された処理に対して相補的であることができる。ＲＸ  ＭＩＭＯ／データプロセッサ１４６０は、データシンク１４６４へ、処理された記号ストリームを付加的提供できる。
【００６９】
一態様によれば、ＲＸ  ＭＩＭＯ／データプロセッサ１４６０によって生成されたチャネル応答推定値は、受信機での空間／時間処理を行い、電力レベルを調整し、変調レートまたはスキームを変更し、および／または他の適切な行動を取るために使用されることができる。付加的に、ＲＸ  ＭＩＭＯ／データプロセッサ１４６０は、チャネル特性、例えば、検出された記号ストリームの信号対雑音および干渉比（ＳＮＲ）をさらに推定できる。ＲＸ  ＭＩＭＯ／データプロセッサ１４６０は、次いで推定されたチャネル特性をプロセッサ１４７０へ提供できる。１つの例において、ＲＸ  ＭＩＭＯ／データプロセッサ１４６０および／またはプロセッサ１４７０は、システムのために「動作」ＳＮＲの推定値をさらに誘導し得る。プロセッサ１４７０は、次いでチャネル状態情報（ＣＳＩ）を提供できる。ＣＳＩは通信リンクおよび／または受信データストリームに関する情報を備えることができる。この情報は、例えば、動作ＳＮＲを含むことができる。ＣＳＩは、次いでＴＸデータプロセッサ１４１８によって処理され、変調器１４８０によって変調され、トランシーバ１４５４ａ〜１４５４ｒによって調整され、送信機システム１４１０へ戻されることができる。加えて、受信機システム１４５０におけるデータソース１４１６は、ＴＸデータプロセッサ１４１８によって処理される追加のデータを提供できる。
【００７０】
送信機システム１４１０へ戻って、受信機システム１４５０からの変調された信号は、次いで受信機システム１４５０によって報告されたＣＳＩを回復するため、アンテナ１４２４によって受信され、トランシーバ１４２２によって調整され、復調器１４４０によって復調され、ＲＸデータプロセッサ１４４２によって処理されることができる。１つの例において、報告されたＣＳＩは、次いでプロセッサ１４３０へ提供され、データレート並びに１つまたは複数のデータストリームについて使用されるべき符号化および変調スキームを決定するために使用されることができる。決定された符号化および変調スキームは、次いで量子化および／または受信機システム１４５０への後の送信で使用するためにトランシーバ１４２２へ提供されることができる。付加的および／または代替的に、報告されたＣＳＩは、ＴＸデータプロセッサ１４１４およびＴＸ  ＭＩＭＯプロセッサ１４２０のための様々な制御を生成するためにプロセッサ１４３０によって使用されることができる。他の例において、ＣＳＩおよび／またはＲＸデータプロセッサ１４４２によって処理された他の情報は、データシンク１４４４へ提供されることができる。
【００７１】
１つの例において、送信機システム１４１０におけるプロセッサ１４３０および受信機システム１４５０におけるプロセッサ１４７０は、それぞれのシステムにおける動作を指令する。追加的に、送信機システム１４１０におけるメモリ１４３２および受信機システム１４５０におけるメモリ１４７２は、それぞれプロセッサ１４３０および１４７０によって使用されるプログラムコードおよびデータの記憶装置を提供できる。さらに、受信機システム１４５０では、ＮＲの受信された信号を処理してＮＴの送信された記号ストリームを検出するために、様々な処理手法が使用されることができる。これらの受信機処理手法は、等化手法とも呼ばれ得る空間および空間−時間受信機処理手法、および／または「連続干渉除去」または「連続除去」受信機処理手法とも呼ばれ得る「連続消去／等化および干渉除去」受信機処理手法を含み得る。
【００７２】
本明細書に記述される態様は、ハードウェア、ソフトウェア、ファームウェア、ミドルウェア、マイクロコード、またはこれらの任意の組み合わせによって実施され得ることを理解すべきである。システムおよび／または方法が、ソフトウェア、ファームウェア、ミドルウェアまたはマイクロコード、プログラムコードまたはコードセグメントによって実施されるとき、それらは機械読み取り可能メディア、例えば、記憶コンポーネントの中に記憶されることができる。コードセグメントは、手順、機能、サブプログラム、プログラム、ルーチン、サブルーチン、モジュール、ソフトウェアパッケージ、クラス、または命令、データ構造、またはプログラムステートメントの任意の組み合わせを表すことができる。コードセグメントは、情報、データ、引数、パラメータ、またはメモリ内容を引渡し、および／または受け取ることによって、他のコードセグメントまたはハードウェア回路へ結合されることができる。情報、引数、パラメータ、データなどは、メモリ共有、メッセージ引渡し、トークン引渡し、ネットワーク送信などを含む任意の適切な手段を使用して引き渡され、回送または送信され得る。
【００７３】
ソフトウェア実施の場合、本明細書に記述される手法は、本明細書に記述される機能を行うモジュール（例えば、手順、機能など）を用いて実施され得る。ソフトウェアコードは、メモリユニット内に記憶され、プロセッサによって実行されることができる。メモリユニットはプロセッサの内部またはプロセッサの外部で実施され得る。外部で実施される場合、メモリユニットは当分野で既知のように様々な手段を介してプロセッサへ通信的に結合され得る。
【００７４】
これまでの記述は、１つまたは複数の態様の例を含む。もちろん、これまで言及された態様を記述する目的でコンポーネントまたは方法の全ての考えられ得る組み合わせを記述することは不可能であるが、様々な態様の多くの更なる組み合わせおよび順列が可能であることを当業者は認識し得る。従って、記述された態様は、添付された特許請求の範囲の趣旨および範囲の中に入る全てのこのような変更、修正、および変形を包含することを意図される。さらに、「含む」の用語が詳細な説明または特許請求の範囲のいずれかで使用される限り、この用語は「備える」の用語と同じように包含的であることを意図される。というのは、「備える」は、採用されるとき、特許請求の範囲の中で遷移語として解釈されるからである。さらに、詳細な説明または特許請求の範囲のいずれかで使用されるときの「または」の用語は、「非排他的ＯＲ」を意味する。
以下に、本願出願の当初の特許請求の範囲に記載された発明を付記する。
［Ｃ１］
複素シヌソイドに従って搬送波に関連したデジタル信号を回転し、回転されたデジタル信号を形成することと、
前記複素シヌソイドの負の表現に従って異種の搬送波に関連した異種のデジタル信号を回転し、異種の回転されたデジタル信号を形成することと、
前記回転されたデジタル信号および前記異種の回転されたデジタル信号を結合して単一のベースバンド波形を生成することと、
を備える方法。
［Ｃ２］
前記複素シヌソイドは、前記デジタル信号および前記異種のデジタル信号を回転する回転周波数に関連する、Ｃ１に記載の方法。
［Ｃ３］
前記単一のベースバンド波形をアナログ信号へ変換することをさらに備える、Ｃ１に記載の方法。
［Ｃ４］
無線ネットワークでデータを送信するために割り当てられた複数の隣接搬送波内の周波数へ前記アナログ信号をアップコンバートすることをさらに備える、Ｃ３に記載の方法。
［Ｃ５］
無線ネットワークでデータを送信するために割り当てられた前記複数の隣接搬送波の中心の周りで前記アナログ信号を発振することをさらに備える、Ｃ４に記載の方法。
［Ｃ６］
前記複数の隣接搬送波上で前記アナログ信号を送信することをさらに備える、Ｃ５に記載の方法。
［Ｃ７］
前記搬送波を利用する通信チャネルに関連した複数のトランスポートブロックへ１つまたは複数の拡散符号を適用することによって、前記デジタル信号を少なくとも部分的に生成することをさらに備える、Ｃ１に記載の方法。
［Ｃ８］
前記搬送波を利用する前記通信チャネルで送信するために前記デジタル信号をパルス整形することをさらに備える、Ｃ７に記載の方法。
［Ｃ９］
前記デジタル信号および前記異種のデジタル信号は、合同で符号化されたエンハンスド専用物理制御チャネルデータ（enhanced dedicated physical control channel data）に関連する、Ｃ１に記載の方法。
［Ｃ１０］
エンハンスド専用チャネル（enhanced dedicated channel (Ｅ−ＤＣＨ)）トランスポートフォーマット結合インディケータ(transport format combination indicator (Ｅ−ＴＦＣＩ)）の一部分で前記デジタル信号のトランスポート・ブロック・サイズを表示し、前記Ｅ−ＴＦＣＩの残りの部分で前記異種のデジタル信号のＴＢＳの相対的差異を表示することをさらに備える、Ｃ９に記載の方法。
［Ｃ１１］
前記デジタル信号は、他の搬送波に関連した複数の他のデジタル信号の組み合わせである、Ｃ１に記載の方法。
［Ｃ１２］
デジタル信号へ複素シヌソイドを適用して前記デジタル信号を回転し、
異種のデジタル信号へ前記複素シヌソイドの負の表現を適用して、前記デジタル信号とは反対方向に前記異種のデジタル信号を回転し、
前記デジタル信号および前記異種のデジタル信号を加算して単一のベースバンド波形を合成する  ように構成された少なくとも１つのプロセッサと、
該少なくとも１つのプロセッサへ結合されたメモリと、
を備える無線通信装置。
［Ｃ１３］
前記少なくとも１つのプロセッサは、回転周波数に少なくとも部分的に基づき前記複素シヌソイドを計算するようにさらに構成された、Ｃ１２に記載の無線通信装置。
［Ｃ１４］
前記少なくとも１つのプロセッサは、前記単一のベースバンド波形に少なくとも部分的に基づきアナログ信号を生成するようにさらに構成された、Ｃ１２に記載の無線通信装置。
［Ｃ１５］
前記少なくとも１つのプロセッサは、信号を送信するため前記無線通信装置に割り当てられた複数の隣接搬送波周波数内で送信するため前記アナログ信号をアップコンバートするようにさらに構成された、Ｃ１４に記載の無線通信装置。
［Ｃ１６］
前記少なくとも１つのプロセッサは、前記複数の隣接搬送波周波数の中心で前記アナログ信号を周波数へ発振するようにさらに構成された、Ｃ１５に記載の無線通信装置。
［Ｃ１７］
前記少なくとも１つのプロセッサは、前記複数の隣接搬送波周波数上で前記アナログ信号を送信するようにさらに構成された、Ｃ１６に記載の無線通信装置。
［Ｃ１８］
前記少なくとも１つのプロセッサは、１つまたは複数の拡散符号に従い１つまたは複数の通信チャネルに関連した複数の受信データ記号を拡散することによって、前記デジタル信号および前記異種のデジタル信号を少なくとも部分的に生成するようにさらに構成された、Ｃ１２に記載の無線通信装置。
［Ｃ１９］
前記少なくとも１つのプロセッサは、前記デジタル信号および前記異種のデジタル信号へパルス整形を適用するようにさらに構成された、Ｃ１８に記載の無線通信装置。
［Ｃ２０］
搬送波に関連したデジタル信号を正方向に回転周波数だけ回転し、異種の搬送波に関連した異種のデジタル信号を負方向に前記回転周波数だけ回転する手段と、
前記デジタル信号および前記異種のデジタル信号を加算して単一のベースバンド波形を生成する手段と、
を備える装置。
［Ｃ２１］
前記デジタル信号を回転する前記手段は、前記回転周波数に対応する複素シヌソイドを前記デジタル信号へ適用し、前記回転周波数に対応する前記複素シヌソイドの負の表現を前記異種のデジタル信号へ適用する、Ｃ２０に記載の装置。
［Ｃ２２］
前記単一のベースバンド波形をアナログ信号へ変換する手段をさらに備える、Ｃ２０に記載の装置。
［Ｃ２３］
無線ネットワークで信号を送信するため前記装置へ割り振られた複数の隣接搬送波内の周波数へ前記アナログ信号をアップコンバートする手段をさらに備える、Ｃ２２に記載の装置。
［Ｃ２４］
前記アナログ信号をアップコンバートする前記手段は、前記複数の隣接搬送波の中心周波数の周りで前記アナログ信号を発振する、Ｃ２３に記載の装置。
［Ｃ２５］
前記複数の隣接周波数上で前記アナログ信号を送信する手段をさらに備える、Ｃ２４に記載の装置。
［Ｃ２６］
前記搬送波に対応する通信チャネルに関連した複数の受信データ記号へ１つまたは複数の拡散記号を適用することによって、前記デジタル信号を少なくとも部分的に生成する手段をさらに備える、Ｃ２０に記載の装置。
［Ｃ２７］
前記搬送波に対応する前記通信チャネルで送信するために前記デジタル信号をパルス整形する手段をさらに備える、Ｃ２６に記載の装置。
［Ｃ２８］
前記デジタル信号および前記異種のデジタル信号は、合同で符号化されたエンハンスド専用物理制御チャネルデータに関連する、Ｃ２０に記載の装置。
［Ｃ２９］
エンハンスド専用チャネル（Ｅ−ＤＣＨ）トランスポートフォーマット結合インディケータ（Ｅ−ＴＦＣＩ）の一部分で前記デジタル信号のトランスポート・ブロック・サイズ（ＴＢＳ）を表示し、前記Ｅ−ＴＦＣＩの残りの部分で前記異種のデジタル信号のＴＢＳの差異を表示する手段をさらに備える、Ｃ２８に記載の装置。
［Ｃ３０］
前記デジタル信号は、他の搬送波に関連した複数の他のデジタル信号の組み合わせである、Ｃ２０に記載の装置。
［Ｃ３１］
コンピュータ可読メディアを備えるコンピュータ・プログラム・プロダクトであって、前記コンピュータ可読メディアは、
少なくとも１つのコンピュータに、搬送波に関連したデジタル信号を複素シヌソイドに従って回転させ、回転されたデジタル信号を形成させるコードと、
前記少なくとも１つのコンピュータに、異種の搬送波に関連した異種のデジタル信号を前記複素シヌソイドの負の表現に従って回転させ、異種の回転されたデジタル信号を形成させるコードと、
前記少なくとも１つのコンピュータに、前記回転されたデジタル信号および前記異種の回転されたデジタル信号を結合させて単一のベースバンド波形を生成させるコードと、  を備えるコンピュータ・プログラム・プロダクト。
［Ｃ３２］
前記複素シヌソイドは回転周波数に関連しており、前記少なくとも１つのコンピュータに前記デジタル信号を回転させる前記コードは、前記回転周波数だけ前記デジタル信号を回転する、Ｃ３１に記載のコンピュータ・プログラム・プロダクト。
［Ｃ３３］
前記コンピュータ可読メディアは、前記少なくとも１つのコンピュータに、前記単一のベースバンド波形をアナログ信号へ変換させるコードをさらに備える、Ｃ３１に記載のコンピュータ・プログラム・プロダクト。
［Ｃ３４］
前記コンピュータ可読メディアは、前記少なくとも１つのコンピュータに、無線ネットワークでデータを送信するために割り当てられた複数の隣接搬送波内で前記アナログ信号を周波数へアップコンバートさせるコードをさらに備える、Ｃ３３に記載のコンピュータ・プログラム・プロダクト。
［Ｃ３５］
前記コンピュータ可読メディアは、前記少なくとも１つのコンピュータに、無線ネットワークでデータを送信するために割り当てられた前記複数の隣接搬送波の中心の周りで前記アナログ信号を発振させるコードをさらに備える、Ｃ３４に記載のコンピュータ・プログラム・プロダクト。
［Ｃ３６］
前記コンピュータ可読メディアは、前記少なくとも１つのコンピュータに、前記複数の隣接搬送波上で前記アナログ信号を送信させるコードをさらに備える、Ｃ３５に記載のコンピュータ・プログラム・プロダクト。
［Ｃ３７］
前記コンピュータ可読メディアは、前記少なくとも１つのコンピュータに、前記搬送波を利用する通信チャネルに関連した複数のトランスポートブロックへ１つまたは複数の拡散符号を適用することによって前記デジタル信号を少なくとも部分的に生成させるコードをさらに備える、Ｃ３１に記載のコンピュータ・プログラム・プロダクト。
［Ｃ３８］
前記コンピュータ可読メディアは、前記少なくとも１つのコンピュータに、前記搬送波を利用する前記通信チャネルで送信するため前記デジタル信号をパルス整形させるコードをさらに備える、Ｃ３７に記載のコンピュータ・プログラム・プロダクト。
［Ｃ３９］
搬送波に関連したデジタル信号を正方向に回転周波数だけ回転し、異種の搬送波に関連した異種のデジタル信号を負方向に前記回転周波数だけ回転する信号回転コンポーネントと、
前記デジタル信号および前記異種のデジタル信号を加算して単一のベースバンド波形を生成する信号結合コンポーネントと、
を備える装置。
［Ｃ４０］
前記信号回転コンポーネントは、前記回転周波数に対応する複素シヌソイドを前記デジタル信号へ適用し、前記回転周波数に対応する前記複素シヌソイドの負の表現を前記異種のデジタル信号へ適用する、Ｃ３９に記載の装置。
［Ｃ４１］
前記単一のベースバンド波形をアナログ信号へ変換するデジタルアナログ変換コンポーネントをさらに備える、Ｃ３９に記載の装置。
［Ｃ４２］
無線ネットワークで信号を送信するため前記装置へ割り振られた複数の隣接搬送波内で前記アナログ信号を周波数へ変換する信号アップコンバートコンポーネントをさらに備える、Ｃ４１に記載の装置。
［Ｃ４３］
前記信号アップコンバートコンポーネントは、前記複数の隣接搬送波の中心周波数の周りで前記アナログ信号を発振する、Ｃ４２に記載の装置。
［Ｃ４４］
前記複数の隣接搬送波上で前記アナログ信号を通信する送信コンポーネントをさらに備える、Ｃ４３に記載の装置。
［Ｃ４５］
前記搬送波に対応する通信チャネルに関連した複数の受信データ記号へ１つまたは複数の拡散符号を適用することによって、前記デジタル信号を少なくとも部分的に生成する拡散コンポーネントをさらに備える、Ｃ３９に記載の装置。
［Ｃ４６］
前記搬送波に対応する前記通信チャネルで送信するため前記デジタル信号を修正するパルス整形コンポーネントをさらに備える、Ｃ４５に記載の装置。
【図１】
0005456790.tif 000002
【図２】
0005456790.tif 000003
【図３】
0005456790.tif 000004
【図４】
0005456790.tif 000005
【図５】
0005456790.tif 000006
【図６】
0005456790.tif 000007
【図７】
0005456790.tif 000008
【図８】
0005456790.tif 000009
【図９】
0005456790.tif 000010
【図１０】
0005456790.tif 000011
【図１１】
0005456790.tif 000012
【図１２】
0005456790.tif 000013
【図１３】
0005456790.tif 000014
【図１４】
0005456790.tif 000015